(57)【要約】      （修正有）【課題】より治癒時間を短く、生体への負担が少なく、取り付け簡単な電気刺激装置を提供する。【解決手段】絶縁皮膜を有する芯線２１と、芯線を巻軸として、芯線に対して隙間無く巻回された外線２２とからなる基礎線材を備え、基礎線材をループ状に巻回することにより形成された筒部を更に有し、芯線２１の一端が外線２２の一端と電気的に繋ぎ、芯線２１の他方が外部回路８の一端に接続し、外線２２の他方が外部回路８の他端に接続し、筒部により、その中に置かれた生体に電気刺激を与える電気刺激装置１。【選択図】図２
2020058523.tif 000002
【特許請求の範囲】
【請求項１】
絶縁皮膜を有する芯線と、前記芯線を巻軸として、前記芯線に対して隙間無く巻回された外線とからなる基礎線材を備え、前記基礎線材をループ状に巻回することにより形成された筒部を更に有し、前記芯線の一端が前記外線の一端と電気的に繋ぎ、前記芯線の他方が外部回路の一端に接続し、前記外線の他方が前記外部回路の他端に接続し、前記の筒部により、その中に置かれた生体に電気刺激を与えることを特徴とする電気刺激装置が提供される。
【請求項２】
前記基礎線材は２ターン以上に巻回されていることを特徴とする請求項１記載の電気刺激装置。
【請求項３】
前記基礎線材からなる前記筒部において、隣接している前記基礎線材の間に、隙間無く整列されていることを特徴とする請求項１または２に記載の電気刺激装置。
【請求項４】
前記基礎線材または前記外線の少なくとも一方は、リッツ線からなることを特徴とする請求項１〜３の何れかに記載の電気刺激装置。
【請求項５】
前記筒部において、それを支持する支持部が更に備えることを特徴とする請求項１〜４の何れかに記載の電気刺激装置。
【請求項６】
前記支持部及び前記筒部が開閉できるように設けられていることを特徴とする請求項１〜５の何れかに記載の電気刺激装置。
【請求項７】
前記電気刺激装置においては、制御部も含まれていることを特徴とする請求項１〜６の何れかに記載の電子刺激装置。
【発明の詳細な説明】
【技術分野】
【０００１】
本発明は、骨折、骨粗しょうおよびその他の人体損傷や、腫瘍などを治療する電気刺激装置に関する。
【背景技術】
【０００２】
骨折、骨粗しょうおよびその他の人体損傷に関しては、人体の自然治癒の過程が長く、特に、年配の人に対して、食事、運動、日光浴以外の方法は限界があるため、より早く、苦痛少ない治療方法が望まれている。また、低強度の電磁場を用いることによる癌処置療法（ＴＴＦ’ｓ：Ｔｕｍｏｒ  Ｔｒｅａｔｉｎｇ  Ｆｉｅｌｄｓとも呼ばれる）があるが、電極の貼り付けなどにより、皮膚へ与えるダメージが大きかったことので、皮膚に負担なく、取り付け自由の電気刺激装置も望まれている。
【０００３】
具体的に、従来の治療方法としては、例えば、特許文献１に示すように、可撓性コイルから発生されている磁場を利用して、患者の体の選択部分に対してＰＥＭＦ（Ｐｕｌｓｅｄ ｅｌｅｃｔｒｏｍａｇｎｅｔｉｃ ｆｉｅｌｄ ｔｈｅｒａｐｙ ）治療を行う方法がある。
また、特許文献２に示すように、早く骨の傷を直す為に、ネジ型の電極を体内に埋め込み、それを通して患部領域に電流を流し、早期の治癒を成し遂げる。
また、特許文献３に示すように、電場の力で腫瘍細胞、特に再発膠芽腫を標的にし、その分裂を抑制するがん治療方法がある。
【先行技術文献】
【特許文献】
【０００４】
【特許文献１】特表２００２−５２２１２５号公報
【特許文献２】特表２０１７−５０７７５１号公報
【特許文献３】特表２０１７−５２２０９９号公報
【発明の概要】
【発明が解決しようとする課題】
【０００５】
しかし、特許文献１に示すＰＥＭＦの治療方法においては、患部、例えば折れた骨に対して磁気刺激しかを与えられないため、治癒の周期が長くなってしまう。また、特許文献２に示す方法は、手術など体に苦痛を与える治療手段が伴うため、体力が衰えた人、例えば老人などに対して、体への負担が強いられている。更に、特許文献３に示す方法においては、電極とするアレイが直接に患者の皮膚に貼り付けられるため、治療開始してから数週間以内に２０％近くの患者から皮膚炎が起きるとの報告もある。そのため、患者の皮膚も耐えられるような、簡単に取り付けられる電気刺激装置が必要となる。
【０００６】
本発明は上述のような課題に鑑みてなされたものであり、より治癒時間を短く、体への負担が少ない電気刺激装置を提供するものである。
【０００７】
本発明によれば、絶縁皮膜を有する芯線と、前記芯線を巻軸として、前記芯線に対して隙間無く巻回された外線とからなる基礎線材を備え、前記基礎線材をループ状に巻回することにより形成された筒部を更に有し、前記芯線の一端が前記外線の一端と電気的に繋ぎ、前記芯線の他方が外部回路の一端に接続し、前記外線の他方が前記外部回路の他端に接続し、前記の筒部により、その中に置かれた生体に電気刺激を与えることを特徴とする電気刺激装置が提供される。
【０００８】
また、本発明によれば、前記基礎線材は２ターン以上に巻回されていることを特徴とする電気刺激装置が提供されている。
【０００９】
また、本発明によれば、前記基礎線材からなる前記筒部において、隣接している前記基礎線材の間に、隙間無く整列されていることを特徴とする電気刺激装置が提供されている。
【００１０】
また、本発明によれば、前記基礎線材または前記外線の少なくとも一方は、リッツ線からなることを特徴とする電気刺激装置が提供されている。
【００１１】
また、本発明によれば、前記筒部において、それを支持する支持部が更に備えることを特徴とする電気刺激装置が提供されている。
【００１２】
また、本発明によれば、前記支持部及び前記筒部が開閉できるように設けられていることを特徴とする電気刺激装置が提供されている。
【００１３】
また、本発明によれば、前記電気刺激装置においては、制御部も含まれていることを特徴とする電子刺激装置が提供されている。
【発明の効果】
【００１４】
本発明によれば、より治癒時間を短く、生体への負担が少なく、取り付け簡単な電気刺激装置が提供できる。
【図面の簡単な説明】
【００１５】
【図１】本発明の第一実施形態、第二実施形態の電気刺激装置の概略を説明するための図である。
【図２】図１に示したコイル線材を適用した電気刺激装置を説明するための模式図である。
【図３】（ａ）は、コイル線材の一部を示した模式的な斜視図である。（ｂ）は、（ａ）中に示したｘ，ｙ，ｚ座標のｘ−ｙ平面でコイル線材を切断した断面図である。
【図４】（ａ）は、巻線が芯線と所定の距離ｄを隔てて巻き回されていて、かつ芯線が第二絶縁膜を有する状態を示す図である。（ｂ）は巻線が芯線と所定の距離ｄを隔てて巻き回されていて、かつ芯線が露出している状態を示す図である。
【図５】図４（ａ）、図４（ｂ）に示した巻線が形成するループを示す図である。
【図６】（ａ）は、巻線が芯線と接触して巻き回されていて、かつ芯線が第二絶縁膜を有する状態を示す図である。（ｂ）は巻線が芯線と接触して巻き回されていて、かつ芯線が露出している状態を示す図である。
【図７】支持部を備える電気刺激装置を生体に取り付けた場合の概略図である。
【発明を実施するための形態】
【００１６】
以下、本発明の実施形態を図面に基づいて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、全ての図面において、同様な構成要素には同様の符号を付し、重複する説明は適宜省略する。また、本明細書では上下方向を規定して説明する場合があるが、これは構成要素の相対関係を説明するために便宜的に設定するものであり、本発明に係る製品の製造時や使用時の方向を限定するものではない。
【００１７】
図１は、本実施形態の基礎線材１０を用いた電気刺激装置１の概略を示す図である。
基礎線材１０は、後に詳述するように、芯線に対して、外線が巻き回されて構成されている。図１に示す電気刺激装置１は、人体の骨部位５に基礎線材１０を巻き回して構成されている。また図１においては、骨部位５周囲の筋肉、血管または皮膚などの人体部位が未図示である。
また、基礎線材１０の芯線２１や、外線２２（図２等）の表面が第一絶縁膜２２１（図３（ａ）、図３（ｂ）等）により被覆されているため、基礎線材１０と骨部位５、または人体部位とは互いに絶縁されている。
本実施形態では、図１に示す電気刺激装置１にあっては、骨部位５は、電気刺激装置１から引き起こされた電流Iの流路となり、誘起電流ｉは、骨部位５中に流れる。
【００１８】
基礎線材１０は、骨部位５に対し、骨部位５の長さ方向に大凡基礎線材１０の太さ分ずつずらしながら導線の周方向に巻き回される。本明細書では、このような外線の巻き回し方法を螺旋状に巻くとも記す。
【００１９】
本実施形態では、基礎線材１０を芯線２１と、外線２２とにより形成している。芯線２１には第一引出線２１２が接続されていて、外線２２には第二引出線２２２が接続されている。第一引出線２１２、第二引出線２２２は、芯線２１及び外線２２を図２に示す外部回路８に接続するための導線である。
【００２０】
以下、本実施形態の基礎線材１０、基礎線材１０を用いた電気刺激装置１ついて説明する。
【００２１】
・第一実施形態
＜基礎線材＞
先ず、第一実施形態の基礎線材１０の電気的な特性について、図面を用いて説明する。
【００２２】
図２は、図１に示した基礎線材１０を適用した電気刺激装置１を説明するための模式図である。図２に示すように、基礎線材１０は、芯線２１と、芯線２１に螺旋状に巻き回される外線２２とにより構成されている。芯線２１と外線２２は別個の導線であって、それぞれの一方の端部ｐ１、ｐ２が、点Ｐにおいて接続されている。また、芯線２１の端部ｐ１と異なる側の端部ｐ３、外線２２の端部ｐ２と異なる側の端部ｐ４は、例えば図２に示す外部回路８と接続する第一引出線２１２、第二引出線２２２の端部である。外部回路８は、芯線２１、外線２２に入力される電気的な信号（例えば電流）を送るための回路であって、このような外部回路８は、電流を流す電源機器として機能する。電気刺激装置１は、基礎線材１０が巻き回されることによって構成される筒部２０の内部に電場を形成する。
また、芯線２１と外線２２は別個の導線に限りなく、一本の導線からなり、点Ｐにおいて折り返られていることも可能である。
【００２３】
図３（ａ）、図３（ｂ）、図４（ａ）、図４（ｂ）及び図５は、図１に示した基礎線材１０の形状を説明するための図である。このうち、図３（ａ）は、基礎線材１０の一部を示した模式的な斜視図である。図３（ｂ）は、図３（ａ）中に示したｘ，ｙ，ｚ座標のｘ−ｙ平面で基礎線材１０を切断し、切断面を−ｚの方向に見た断面図である。図４（ａ）から図５は、いずれも図３（ａ）に示した基礎線材１０をｘ−ｚ平面で切断し、切断面をｙ方向に見た模式的な断面図である。図４（ａ）、図４（ｂ）は、いずれも外線２２が芯線２１と所定の距離ｄを隔てて巻き回されている状態を示している。図４（ａ）は芯線２１が第二絶縁膜２１１を有する例を示し、図４（ｂ）は外線２２が露出している例を示している。図５は、図４（ａ）、図４（ｂ）の芯線２１の図示を省いて外線２２が形成するループを示している。図３（ａ）から図５は、いずれも模式的な図である。
【００２４】
第一実施形態の基礎線材１０は、図３（ａ）、図３（ｂ）示すように、可撓性及び導電性を有する芯線２１と、第一絶縁膜２２１が導電性のワイヤ線に被覆形成された外線２２と、を有している。芯線２１の一方の端部ｐ１（図２）と外線の一方の端部ｐ２（図２）とが電気的に接続されて、かつ外線２２が芯線２１の周囲に巻き回されて芯線を共有の中心軸とする複数のループｒを形成する。
【００２５】
芯線２１に要求される可撓性は、芯線２１を環状にして筒部２０を形成することが可能な程度であればよく、筒部２０の径は基礎線材１０を適用して構成される電気刺激装置１の用途により決定する。芯線２１が形成すべき筒部２０の径が小さいほど芯線２１には大きな可撓性が要求される。外線２２は、ワイヤ線２２０と、ワイヤ線２２０を被覆するように形成（被覆形成）された第一絶縁膜２２１によって構成されている。
【００２６】
芯線２１及びワイヤ線２２０は、例えば、直径０．０２５〜３．２ｍｍの軟銅線（断面が円形状）であってもよい。また、第一絶縁膜２２１は、例えば厚さ０．００３ｍｍ〜０．０３５ｍｍ程度の高分子化合物を溶かしたワニスの絶縁被膜であってもよい。高分子化合物には、ポリビニルホルマール、ポリウレタン、ポリアミドイミド、ポリエステル、ナイロン等を用いるものであってもよい。
また、第二絶縁膜２１１は、例えば厚さ０．００３ｍｍ〜０．１ｍｍ程度の高分子化合物を溶かしたワニスでもよい。高分子化合物には、ポリビニルホルマール、ポリウレタン、ポリアミドイミド、ポリエステル、ナイロン等を用いるものであってもよい。
また、第一実施形態は、芯線２１及びワイヤ線２２０を断面が円形状のものに限定するものではない。芯線２１及びワイヤ線２２０の断面は、楕円や矩形であってもよいし、多角形であってもよい
【００２７】
第一実施形態は、芯線２１とワイヤ線２２０とが絶縁されていればよく、芯線２１が絶縁膜により被覆されているものであっても、被覆されていないものであってもよい。図４（ａ）は、芯線２１が、第二絶縁膜２１１により被覆されている状態を示している。
【００２８】
芯線２１の表面に第二絶縁膜２１１が形成されている場合、図４（ａ）に示すように、複数のループｒの少なくとも一部の外線の内周面Ｓ（図５）と第二絶縁膜２１１の表面２１１ａの最短距離ｄが、第一絶縁膜２２１及び第二絶縁膜２１１の厚さｔ１、ｔ２のいずれか厚いものの厚さより小さくなっている。つまり、上記の絶縁被膜の数値の例を基準にすると、最短距離ｄは、０．００３ｍｍ以下から０．０３５ｍｍ以下の数値をとり得る。図４（ａ）に示した例では、厚さｔ１、厚さｔ２のうち、厚さｔ２は厚さｔ１よりも充分大きく、最短距離ｄが厚さｔ２よりも小さくなっていることが明らかである。
【００２９】
図５に示すように、外線２２の内周面Ｓは、外線２２の周面のうち、芯線２１に向かう側の面であって、芯線２１に直接または第二絶縁膜２１１を介して接触し得る面の範囲をいう。
また、「複数のループｒの少なくとも一部」は、複数のループｒのうちの一部または全部をいい、ループｒの全てにおいて内周面Ｓと表面２１１ａとの距離が最短距離ｄ以上であることを除くものである。また、最短距離とは、ループｒの内周面Ｓ上の各点のうち、表面２１１ａと最も近くにある点と表面２１１ａとの距離を指す。したがって、第一実施形態のこのような構成は、内周面Ｓ上に表面２１１ａとの距離が最短距離ｄよりも長い点があることを除外するものではない。
【００３０】
ただし、第一実施形態は、芯線２１の表面に第二絶縁膜２１１が形成されている場合、複数のループｒの少なくとも一部の外線２２の内周面Ｓが全周に亘って第二絶縁膜２１１の表面２１１ａと接触していることが好ましい。
また、第一実施形態では、図４（ｂ）に示すように、芯線２１の表面が露出している場合、複数のループｒの少なくとも一部の外線２２の内周面Ｓと芯線２１の表面２１１ａとの最短距離ｄが第一絶縁膜２２１の厚さｔ１より小さくなっている。ここでいう最短距離は、ループｒの内周面Ｓ上の各点のうち、表面２１ａと最も近くにある点と表面２１ａとの距離を指す。第一実施形態では、芯線２１の表面が露出している場合、複数のループｒの少なくとも一部の外線２２の内周面Ｓが全周に亘って芯線２１の表面２１ａと接触していることが好ましい。
【００３１】
さらに、第一実施形態は、上記条件により、内周面Ｓと表面２１１ａまたは芯線２１の表面２１ａとの距離が「０」、即ち内周面Ｓと表面２１１ａとが接触していてもよい。図６（ａ）、図６（ｂ）は、いずれも外線２２が芯線２１と接触して巻き回されている状態を示している。図６（ａ）は芯線２１が第二絶縁膜２１１を有する例を示し、図６（ｂ）は外線２２が露出している例を示している。芯線２１が第二絶縁膜２１１と接触する例では、複数のループｒの少なくとも一部の外線２２の内周面Ｓの少なくとも一部が第二絶縁膜２１１の表面２１１ａまたは芯線２１の表面２１ａと接触している。
【００３２】
以上のように、第一実施形態は、外線２２と芯線２１とが近接または接触しているため、外線２２の単位長さ当たりの巻数を増やして電気刺激装置としての感度を高めながら、ワイヤ線２２０の高抵抗化を抑えることができる。なお、外線２２と芯線２１との間の寄生容量は、第一絶縁膜２２１あるいは第二絶縁膜２１１の膜厚、さらには第一絶縁膜２２１、第二絶縁膜２１１及びワイヤ線２２０の誘電率等によって調整することができる。第二絶縁膜２１１、第一絶縁膜２２１は、その材質が同じであってもよいし、異なるものであってもよい。また、膜厚を寄生容量等に応じて調整するものであってもよい。
【００３３】
また、上記のように定められた最短距離ｄは、外線２２が芯線２１または第二絶縁膜２１１に接触するように巻き回し、その後スプリングバック等により若干元に戻った場合に生じる程度の値となる。また、最短距離ｄが０である場合、巻き回された外線２２は加熱処理等によってそのままの状態を維持しているものと考えられる。このような第一実施形態の基礎線材１０は、外線２２の巻き回しにおいて芯線２１または第二絶縁膜２１１との間の距離のばらつきが小さく、電気刺激装置に用いた場合に電気刺激装置の製品ばらつきを低減することに有効である。
【００３４】
さらに、第一実施形態の基礎線材１０は、任意の長さになるように成形することが可能であって、任意の箇所に巻きまわして使用することが可能である。このため、基礎線材１０を測定対象となる電流が流れる任意の部位に直接巻き回して使用することができる。
【００３５】
また、第一実施形態の基礎線材１０は、図４（ａ）から図６（ｂ）に示すように、複数のループｒを形成する外線２２が、少なくとも一部の範囲に亘って隣接する他のループｒの外線２２と接触している。つまり、第一実施形態では、複数のループｒの各々が、隣接する他のループｒと密着するように形成されている。「密着」は、複数のループｒに対してループの列を圧縮する方向の力を加えた場合に各ループｒが接触し、かつ、力を解除した場合に各ループｒが互いに離れる方向の力を受ける状態をいう。
【００３６】
少なくとも一部の範囲とは、複数のループｒが配置されている範囲のうちの一部または全部をいう。すなわち、第一実施形態は、ループｒが配置されている範囲のうちの一部において、互いに隣接するループｒが接触していない状態にあることを排除するものではない。
【００３７】
このような構成により、第一実施形態は、ワイヤ線２２０の長さを最小限に抑えながら、単位長さ当たりの外線数を増やすことができる。
また、外線２２に関しては、１本の導線からなっても良いが、複数の導線を互いに平行するように、芯線２１に対して隙間なく巻回して形成されても良い。
【００３８】
＜電気刺激装置＞
以下、基礎線材１０を使う電気刺激装置１に関して説明する。
電気刺激装置１は、図２に示すように、絶縁皮膜２１１を有する芯線２１と、芯線２１を巻軸として、芯線２１に対して隙間無く巻回された外線２２とからなる基礎線材１０を備え、基礎線材１０をループ状に巻回することにより形成された筒部２０を更に有し、芯線２１の一端ｐ１が外線２２の一端ｐ２と電気的に繋ぎ、芯線２１の他方端部ｐ３が外部回路８の一端に接続し、外線２２の他方端部ｐ４が外部回路８の他端に接続し、筒部２０により、その中に置かれた生体に電気刺激を与える。
【００３９】
具体的言えば、電気刺激装置１は、芯線２１及び巻線２２の端部ｐ１、ｐ２が接続されていて、他方の端部ｐ３、ｐ４がそれぞれ第一引出線２１２、第二引出線２２２に接続されている。そして、第一引出線２１２、第二引出線２２２に電気信号（電流）を流す電源機器として機能する外部回路８が接続されている。
また、基礎線材１０を用い、１ターン以上を巻回し、筒部２０が形成されている。この時、この筒部２０においては、隣接している基礎線材１０の外周面において、互いに隙間無く整列されていることが好ましい。
【００４０】
また、第一実施形態の電気刺激装置１は更に樹脂製の支持部３０を有することが好ましい。この場合、基礎線材１０がこの支持部３０の外周面に巻回され、筒部２０が形成されている。また、このような電気刺激装置１を人体の所定部位、例えば、腕部、腿部、頭部などに取り付け、外部回路８から所定の周波数の電流を基礎線材１０に流すことにより、筒部２０内に、筒部２０の軸方向に沿って電場が発生する。また、この電場内の位置人体部位、たとえば骨部位５などにおいて、上記電場の強場所から弱場合に向け、電流ｉが流れている。こうする事により、所定の人体部位、例えば骨部位５などには、所定の電気刺激することも可能となる。
【００４１】
また、骨粗しょう症などの原因に関しては、皮質骨の表面側や内面側、ないし皮質骨の内部で骨吸収が生じるため、皮質骨内に存在する骨細胞が周囲の骨を溶解することより、骨細胞が内部に存在する骨小腔の容積拡大が進行する。これに対して、電気刺激装置１による電気的刺激によって、不動化に起因する皮質骨の表面からの骨吸収が抑制されることができ、骨粗しょう症などの進行を抑制することができる。
【００４２】
また、電気刺激装置１は、個人差や病状などに応じて、使用する周波数を数Hz〜数ｋHｚまでにすることもできるし、連続する交流電流でも良く、パルス状の電流でも良い。
【００４３】
さらに、外部回路８は、一つの筒部２０だけではなく、複数の患部に取り付けられた複数の筒部２０に対して同時に同様な電流、または異なる電流を提供することもできる。また、外部回路８の小型化により、電池駆動するようなモジュールや装置にすることもできるため、携帯性が一層高くなる。
また、外部回路８においては、筒部２０の芯線２１と外線２２を流す電流の大きさ、時間、周波数などのパラメータを制御する制御部を備えることが望ましい。さらに、この制御部は同時に複数の筒部２０を制御することもでき、他のセンサー、例えば体温センサーや、生体電流センサーなどからフィードしてきたデータを基づいて上記電流、周波数などのパラメータを変更する機能を更に備えることが好ましい。
【００４４】
また、図７は支持部３０を備える電気刺激装置１を生体に取り付けた場合の概略図である。図７に示すように、基礎線材１０がこの支持部３０の外周面に巻回された電気刺激装置１を人体の胴体６に巻きつけることもできる。
【００４５】
また、図７に示すように、支持部３０は開閉可能な、且つ互いに固定の取付部材を備えることが好ましい。このような取付部材としては、たとえば、面ファスナのような粘着部材や、ジッパーのような軟質または硬質の嵌合部材などを用いることができる。また、支持部３０の素材としては、布やナイロンなど柔らかく、絶縁性良いもので良い。
また、電気刺激装置１の形態は、図７に示すような腹巻タイプでも良いが、帽子に筒部２０を入れる帽子タイプや、アームバンドタイプなど様々の形態でも良い。
また、基礎線材１０を用い、１ターンを巻回し、筒部２０が形成されている。また、開閉部材の周辺には、電気的に繋がる部材を用意すれば、２本以上の複数の基礎線材１０を支持部３０に平行に並べ、電気的に繋がる部材を用いて、複数の基礎線材を連結して、１本になるようにすれば良い。
【００４６】
また、電気刺激装置１の筒部２０においては、その中空部に電場しか発生しないため、たとえ筒部２０により囲まれている胴体６内に埋め込み電子装置があっても、この電気刺激装置１により、埋め込みタイプの電子装置に電磁障害（EMI）が発生する可能性も低い。
【００４７】
・第二実施形態
以下、第二実施形態に関して説明する。
【００４８】
第二実施形態においては、使用する基礎線材１０は第一実施形態の基礎線材と同じである。但し、電気刺激装置２は、支持部３０を含まない点においては、第一実施形態と異なる。
【００４９】
この実施形態においては、基礎線材１０の外面周囲に絶縁措置を施す上、ｐ３及びｐ４において、例えば、プラグやダミやコネクタのような電気接続端子部材も備えている。一方、外部回路８を含む電源装置には、これらの電気接続端子部材と電気的に接続できる、尚且つ接続部位に十分に絶縁できるような接続部材に設けられている。
【００５０】
また、電気刺激装置２を取り付けるためには、まず電気接続端子部材を備えている基礎線材１０を患部に対して巻きつくように、数ターン巻回してから、電気接続部材を外部回路８の接続部材に電気接続させる。
【００５１】
こうすると、支持部材３０は不要となるため、構成は更に簡単になり、取り付け方法も様々の人体部位に対応することもできるため、汎用性が更に高くなる。
【符号の説明】
【００５２】
１、２…電気刺激装置
５…骨部位
６…胴体
８…外部回路
１０…基礎線材
２０…筒部
２１…芯線、
２２…外線
３０…支持部
【図１】
2020058523.tif 000003
【図２】
2020058523.tif 000004
【図３】
2020058523.tif 000005
【図４】
2020058523.tif 000006
【図５】
2020058523.tif 000007
【図６】
2020058523.tif 000008
【図７】
2020058523.tif 000009